(57)【要約】【課題】タッチパネルに接着剤で貼り付けた化粧板の透過部全体が面光源として表示できて、発光素子が点光源として表示されない加熱調理器の表示装置を提供すること。【解決手段】加熱調理器の表示装置は、タッチパネル（３）と、上記タッチパネル（３）に貼り付けられると共に、透過部（１５）を有する化粧板（５）と、上記透過部（１５）を照射する発光素子（２０）とを含む。上記透過部（１５）の輪郭を通り、かつ、上記タッチパネル（３）に直交する線群により囲まれた領域（Ａ）の外側に、上記発光素子（２０）が配置されている。【選択図】図１
2017219204.tif 000002
【特許請求の範囲】
【請求項１】
タッチパネルと、
上記タッチパネルに貼り付けられると共に、光の透過部を有する化粧板と、
上記透過部に向けて光を照射する発光素子と
を備え、
上記透過部の輪郭を通り、かつ、上記タッチパネルに直交する線群により囲まれた領域の外側に、上記発光素子が配置されていることを特徴とする加熱調理器の表示装置。
【請求項２】
請求項１に記載の加熱調理器の表示装置において、
上記発光素子は、上記透過部よりも上方に配置されていることを特徴とする加熱調理器の表示装置。
【請求項３】
請求項２に記載の加熱調理器の表示装置において、
上記発光素子は、
上記透過部の上端を通り、かつ、上記タッチパネルに直交する直交平面と、
上記直交平面と上記タッチパネルの化粧板側の面との交線を通り、かつ、上記透過部の下端の上記化粧板の反タッチパネル側のエッジを通る斜め方向の斜め平面との間に配置されていることを特徴とする加熱調理器の表示装置。
【発明の詳細な説明】
【技術分野】
【０００１】
この発明は、加熱調理器の表示装置に関する。
【背景技術】
【０００２】
従来、加熱調理器の表示装置としては、化粧板の光の透過部としての開口部に発光ダイオードを真っ正面に対向させて、開口部を照射して表示するものがある（特許文献１：特開２００１−６５０９号公報の図２）。
【先行技術文献】
【特許文献】
【０００３】
【特許文献１】特開２００１−６５０９号公報の図２
【発明の概要】
【発明が解決しようとする課題】
【０００４】
ところで、本発明者は、図４に示すように、プリント配線基板（ＰＷＢ）１に発光ダイオード（ＬＥＤ）２を固定し、ＰＷＢ１に平行なタッチパネル３の全面に接着剤を塗布して化粧板５を貼り付けて、その化粧板５の光の透過部としての開口部１５にＬＥＤ２を真っ正面から対向させて開口部１５に向けて照射してみた。そうすると、化粧板５の開口部１５を正面から見ると、開口部１５内にＬＥＤ２が一点の点光源として表示されて、開口部１５内の全体がＬＥＤ２で面状光源として表示されないと言う現象が生じることを発見した。
【０００５】
この現象は、接着剤の影響で、ＬＥＤ２からの光のタッチパネル３による拡散性が低下したからであると推測される。
【０００６】
そこで、この発明の課題は、タッチパネルに接着剤で貼り付けた化粧板の透過部の全体が面光源として表示できて、発光素子が点光源として表示されない加熱調理器の表示装置を提供することにある。
【課題を解決するための手段】
【０００７】
上記課題を解決するため、この発明の加熱調理器の表示装置は、
タッチパネルと、
上記タッチパネルに貼り付けられると共に、光の透過部を有する化粧板と、
上記透過部に向けて光を照射する発光素子と
を備え、
上記透過部の輪郭を通り、かつ、上記タッチパネルに直交する線群により囲まれた領域の外側に、上記発光素子が配置されていることを特徴としている。
【発明の効果】
【０００８】
この発明によれば、簡単安価な構成で、タッチパネルに接着剤で貼り付けた化粧板の透過部の全体が、発光素子で略面光源として表示できる。
【図面の簡単な説明】
【０００９】
【図１】この発明の第１実施形態の加熱調理器の表示装置の要部の断面図である。
【図２】この発明の第２実施形態の要部の回路図である。
【図３】この発明の第３実施形態の要部の平面図である。
【図４】比較例の加熱調理器の表示装置の要部の断面図である。
【図５】従来のタッチキーの平面図である。
【発明を実施するための形態】
【００１０】
以下、この発明を図示の実施形態により詳細に説明する。
【００１１】
（第１実施形態）
図１に示すように、この第１実施形態の加熱調理器の表示装置は、基板としてのＰＷＢ１に平行にタッチパネル３を配置し、このタッチパネル３のＰＷＢ１側とは反対側の面３ａの全面に接着剤（図示せず）を塗布して、タッチパネル３の面３ａに化粧板５を貼り付けている。この化粧板５の光の透過部の一例としての略矩形の開口部１５内に対向するタッチパネル３の面３ａの部分にも接着剤が塗布されたままである。
【００１２】
上記タッチパネル３の基材は、例えば、ＰＥＴであり、化粧板５の材料は、例えば、ＰＣである。また、上記接着剤は、アクリル系の接着剤である。
【００１３】
上記ＰＷＢ１には、発光素子の一例としてのＬＥＤ２０を固定している。このＬＥＤ２０の輪郭は略矩形で開口部１５の略矩形の輪郭に略一致している。上記ＬＥＤ２０は、開口部１５内に対向しないように、開口部１５に対向する領域Ａの外側に配置している。より正確には、上記開口部１５の輪郭を通り、かつ、上記タッチパネル３に直交する線群により囲まれた領域Ａの外側に、ＬＥＤ２０を配置している
さらに、図１に示すように、上記ＬＥＤ２０は開口部１５よりも上方に位置している。つまり、上記ＬＥＤ２０は図４の比較例のＬＥＤ２よりも矢印に示すように上側にずらして配置している。
【００１４】
さらにまた、上記ＬＥＤ２０は、直交平面Ｖと斜め平面Ｓとの間の領域Ｐに配置されている。上記直交平面Ｖとは、開口部１５の上端を通り、かつ、タッチパネル３に直交する平面Ｖのことを言い、上記斜め平面Ｓとは、上記直交平面Ｖとタッチパネル３の化粧板５側の面３ａとの交線３１を通り、かつ、上記開口部１５の下端の化粧板５の反タッチパネル側のエッジ５１を通る斜め方向の平面Ｓのことを言う。
【００１５】
上記構成の加熱調理器の表示装置によれば、ＬＥＤ２０は、開口部１５内に対向しないように、開口部１５に対向する領域Ａの外側に位置し、より正確には、開口部１５の輪郭を通り、かつ、タッチパネル３に直交する線群により囲まれた領域Ａの外側に位置しているから、化粧板５の開口部１５に対向するタッチパネル３の部分に接着剤が塗布されたままでも、ＬＥＤ２０からの光は開口部１５に斜め方向に入射するから、ＬＥＤ２０が点光源として表示されることがなく、略、面光源として表示される。
【００１６】
なお、化粧板５の開口部１５に対向するタッチパネル３の部分に接着剤が塗布されていない場合も、同様に、ＬＥＤ２０からの光は開口部１５に斜め方向に入射するから、ＬＥＤ２０が点光源として表示されることがなく、略、面光源として表示される。
【００１７】
一方、加熱調理器においては、その表示装置は一般にユーザの目よりも下側に位置する。つまり、表示装置に対するユーザの視線は上側からとなる。
【００１８】
これに対して、上記第１実施形態では、上記ＬＥＤ２０は開口部１５よりも上方に位置しているから、開口部１５に対して上側からの視線を有するユーザにＬＥＤ２０が直接見えることがない。
【００１９】
また、この第１実施形態では、ＬＥＤ２０の略矩形の外形と開口部１５の略矩形の外形とが略一致しているので、ＬＥＤ２０の輪郭が開口部１５から見え難く、かつ、ＬＥＤ２０からの光が開口部１５を透過し易い。
【００２０】
なお、ＬＥＤ２０の外形および開口部１５の外形は、矩形に限らず、円形、楕円形等の他の形状であっても良い。また、ＬＥＤ２０の外形と開口部１５の外形とは一致していなくてもよい。
【００２１】
さらにまた、上記ＬＥＤ２０は、上記開口部１５の上端を通り、かつ、タッチパネル３に直交する直交平面Ｖと、この直交平面Ｖとタッチパネル３の化粧板５側の面３ａとの交線３１を通り、かつ、上記開口部１５の下端の化粧板５の反タッチパネル側のエッジ５１を通る斜め平面Ｓとの間の領域Ｐに配置されているから、ＬＥＤ２０からの光は開口部１５を透過し易く、ＬＥＤ２０からの光を有効に利用できる。
【００２２】
上記第１実施形態では、開口部１５に接着剤が残っていても、点光源の表示を防止して、開口部１５に面状に表示でき、したがって、開口部に接着剤を塗布しないようにするマスク工程や、接着剤の除去工程を不要とすることができ、簡単安価に点光源の表示を防止できる。
【００２３】
上記第１実施形態では、化粧板５の光の透過部の一例として開口部１５について記載したが、光の透過部は開口ではなくて透明な樹脂やガラスからなっていてもよい。
【００２４】
（第２実施形態）
図２は第２実施形態の要部を示し、この図２に示す以外の構成要素は、図１の構成要素と同一であるので、図１を援用し、それらの説明を省略する。
【００２５】
図２に示すように、発光素子としてのＬＥＤ２０に直列に可変抵抗の一例としての正特性サーミスタ４０を接続している。このサーミスタ４０はＬＥＤ２０の近傍に位置している。
【００２６】
上記構成によれば、ＬＥＤ２０の雰囲気温度が上昇すると、サーミスタ４０の抵抗が増大して、ＬＥＤ２０に流れる電流値が抑制されて、ＬＥＤ２０の輝度が低下されて、ＬＥＤ２０の劣化（寿命低下）が抑制される。
【００２７】
（第３実施形態）
図３は第３実施形態の要部の平面図であり、この図３に示す以外の構成要素は、図１の構成要素と同一であるので、図１を援用し、それらの説明を省略する。
【００２８】
図３に示すように、この第３実施形態のタッチパネル３（図１参照）のタッチキー６０は、容量値、パターン長、キー形状を自由に変更できるように、コ字形状の太幅部６１とＴ字形状の太幅部６２と短冊形状の太幅部６５，６５，…，６６，６６，…とを有し、さらに、太幅部６１，６２，６５，６６よりも細い幅のカットし易くした細幅部７１，７１，７２，７２，…，７３，７３，…を有する。
【００２９】
上記コ字形状の太幅部６１とＴ字形状の太幅部６２は細幅部７１，７１で接続し、Ｔ字形状の太幅部６２と短冊形状の太幅部６５とは細幅部７２で接続し、コ字形状の太幅部６１と短冊形状の太幅部６６とは細幅部７３で接続している。
【００３０】
なお、図示しないが、チップ抵抗を細幅部で接続し、細幅部をカットして、チップ抵抗を切り離すようにしてもよい。
【００３１】
上記構成のタッチキー６０によれば、細幅部７１，７１，７２，７２，…，７３，７３，…等を適宜カットすることによって、容量値、抵抗値、パターン長、キー形状等を簡単に自由に変更することができる。
【００３２】
従来においては、図５に示すように、タッチキー８０の形状は、個々の集積回路（ＩＣ）のデザインルール（容量値などを考慮し、パターン長、キー形状を決定する。）に従って設計している。
【００３３】
しかし、個々のＩＣのデザインルール通りに設計を行ったとしても、外部要因（ガラスの材料、厚み、タッチキーの基板を張り付けるためのテープなど）により、ルール通りになることは少なく、何度も試作をし直したり、極端なケースでは量産時に設計し直すことがあった。
【００３４】
しかし、従来においては、図５に示すように、タッチキー８０は太幅部８１，８２のみからなっているので、カットし難くて、容量値、抵抗値、パターン長、キー形状等の変更が容易ではなかった。
【００３５】
これに対して、図４に示すような第３実施形態のタッチキー６０ならば、容量値、抵抗値、パターン長、キー形状等を簡単に自由に変更することができるから、便利である。
【００３６】
この発明および実施形態を纏めると、次のようになる。
【００３７】
この発明の加熱調理器の表示装置は、
タッチパネル３と、
上記タッチパネル３に貼り付けられると共に、光の透過部１５を有する化粧板５と、
上記透過部１５に向けて光を照射する発光素子２０と
を備え、
上記透過部１５の輪郭を通り、かつ、上記タッチパネル３に直交する線群により囲まれた領域Ａの外側に、上記発光素子２０が配置されていることを特徴としている。
【００３８】
上記構成の加熱調理器の表示装置によれば、発光素子２０は、透過部１５内に対向しないように、透過部１５の輪郭を通り、かつ、タッチパネル３に直交する線群により囲まれた領域Ａの外側にしているから、簡単安価な構成で、化粧板５の透過部１５に対向するタッチパネル３の部分に仮に接着剤が塗布されたままであっても、発光素子２０からの光は透過部１５に斜め方向に入射するから、発光素子２０が点光源として殆ど表示されることがなく、略面光源として表示することができる。
【００３９】
また、この発明の発光素子２０の上述の配置構成によれば、タッチパネル３の材質に関係なく、また、透過部１５に接着剤の有無に拘わらず、点光源の表示を殆ど防止して、略面光源の表示をできる。
【００４０】
１実施形態では、
上記発光素子２０は、上記透過部１５よりも上方に配置されている。
【００４１】
上記実施形態では、上記発光素子２０は透過部１５よりも上方に配置されているから、透過部１５に対して上側からの視線を有するユーザに発光素子２０が直接見えることがない。
【００４２】
１実施形態では、
上記発光素子２０は、
上記透過部１５の上端を通り、かつ、上記タッチパネル３に直交する直交平面Ｖと、
上記直交平面Ｖと上記タッチパネル３の化粧板５側の面３ａとの交線３１を通り、かつ、上記透過部１５の下端の上記化粧板５の反タッチパネル３側のエッジ５１を通る斜め方向の斜め平面Ｓとの間に配置されている。
【００４３】
上記実施形態によれば、上記ＬＥＤ２０は、上記直交平面Ｖと斜め平面Ｓとの間の領域Ｐに配置されているから、ＬＥＤ２０からの光は透過部１５を透過し易く、ＬＥＤ２０からの光を無駄にすること無く有効に利用できる。
【００４４】
上記実施形態では、発光素子としてＬＥＤを用いたが、半導体レーザ等を用いてもよい。
【００４５】
また、上記実施形態では、ＬＥＤ２０はＰＷＢ１に固定していたが、フレキシブル基板等の他の基板や枠体に固定しても良い。
【００４６】
第１〜第３実施形態および変形例で述べた構成要素は、適宜、組み合わせてもよく、また、適宜、選択、置換、あるいは、削除してもよいのは、勿論である。
【符号の説明】
【００４７】
１  ＰＷＢ
２  ＬＥＤ
３  タッチパネル
５  化粧板
１５  透過部
Ａ，Ｐ  領域
Ｖ  直交平面
Ｓ  斜め平面
【図１】
2017219204.tif 000003
【図２】
2017219204.tif 000004
【図３】
2017219204.tif 000005
【図４】
2017219204.tif 000006
【図５】
2017219204.tif 000007